(57)【要約】    【課題】  市販の冷凍冷蔵庫に設置されている複数の冷凍室引出し容器は、冷凍食品（食材）の高さ寸法或いは利用頻度を考慮した設計がなされていなかった為に効率の良い食品（食材）の収納及び利用頻度を考慮した引出し位置（高さ方向）とされていなかった。    【解決手段】  冷凍温度室内に設置される容器を４種類の深さを有する容器とし、深い順に１番、２番、４番の容器を下から第１の冷凍室に設け、３番目に深い容器は上記引出し扉の上方に設けた急速冷凍室の前面を閉塞する第２の引出し扉の枠に懸架させると共に、この３番目の容器上面には冷凍室と野菜室間を仕切る断熱仕切壁に形成された第１の冷気通路を、容器下面には第１と第２の引出し扉間に設けられたはり状仕切後方に形成された第２の冷気通路を対応させるようにした冷凍冷蔵庫。    【選択図】  図２
2005083681.tif 000002
【特許請求の範囲】
【請求項１】
第２の冷凍室を区画し、急速冷凍室の隣りに製氷室を備えた冷凍冷蔵庫に於いて、上記急速冷凍室の間口高さ寸法を、この部屋に設ける深さ７０〜１００ｍｍ未満（高さ寸法）の容器を収納することが出来る最小の間口寸法とすると共に、上記製氷室の間口高さ寸法を上記急速冷凍室の間口高さ寸法に合せたことを特徴とする冷凍冷蔵庫。
【請求項２】
冷凍室に収納される容器の高さ寸法を収納される冷凍食品（食材）に合せ４段階に区分した容器とし３番目の高さを有する容器を急速冷凍室に配設し、この容器は独立した第２の引出し扉により冷凍室に対し、引出し自在としたことを特徴とする請求項１記載の冷凍冷蔵庫。
【請求項３】
冷凍室に設ける４個の容器の深さ（高さ寸法）２００ｍｍ未満、１５０ｍｍ未満、１００ｍｍ未満、７０ｍｍ未満とし、７０ｍｍ未満の容器は、第１の冷凍室上部で第１の引出し扉の開閉動作と独立して動くようにしたことを特徴とする請求項１記載の冷凍冷蔵庫。
【請求項４】
製氷機を断熱仕切壁のくぼみ部に配設すると共に上記製氷機よりアイスバンクに落下する氷が作る氷の山を該アイスバンク中央に作るようにして、急速冷凍室の間口寸法と製氷室の間口寸法を合せたことを特徴とする請求項１記載の冷凍冷蔵庫。
【請求項５】
急速冷凍手段として圧縮機を能力可変制御すると共に急速冷凍室に収納する容器に熱伝導板を敷設し、且つ上記容器の上下面に冷気通路を形成したことを特徴とする請求項１記載の冷凍冷蔵庫。
【請求項６】
冷凍温度室内に設置される容器を４種類の深さを有する容器とし、深い順に１番、２番、４番の容器を下から第１の冷凍室に設け、３番目に深い容器は上記引出し扉の上方に設けた急速冷凍室の前面を閉塞する第２の引出し扉の枠に懸架させると共に、この３番目の容器上面には冷凍室と野菜室間を仕切る断熱仕切壁に形成された第１の冷気通路を、容器下面には第１と第２の引出し扉間に設けられた、はり状仕切後方に形成された第２の冷気通路を対応させたことを特徴とする冷凍冷蔵庫。
【請求項７】
第２の引出し扉枠に懸架された３番目の容器は深さ寸法７０ｍｍ〜１００ｍｍ未満の容器とし、フリージング対応容器とし、容器底面にはアルミ等の熱伝導板を敷設したことを特徴とする請求項６記載の冷凍冷蔵庫。
【請求項８】
扉表面等に設けられた急冷凍ボタンの操作で冷凍能力を可変させ、３番目の容器内食品を急速に冷却することが出来るようにしたことを特徴とする請求項６記載の冷凍冷蔵庫。
【請求項９】
第１の引出し扉の枠に懸架される１番、２番目の容器は上記第１の引出し扉枠の移動に連動して移動し、４番目の容器は第１の引出し扉枠の移動には連動させないようにしたことを特徴とする請求項６記載の冷凍冷蔵庫。
【請求項１０】
第１の引出し扉枠に懸架される１番目、２番目の容器の上に設置される４番目の容器は第１の引出し扉全開時５０ｍｍ〜１００ｍｍ手前に引出されてくるようにしたことを特徴とする請求項６記載の冷凍冷蔵庫。
【発明の詳細な説明】
【技術分野】
【０００１】
本発明は冷凍温度室内に高さ寸法を区分された４種類の深さを有する容器を設置するようにした冷凍冷蔵庫に関するものである。
【背景技術】
【０００２】
近年、冷凍食品の多様化に伴ない冷凍温度室内にも高さ寸法の異なる複数の容器を設置するようになってきている。例えば、特許文献１及び特許文献２にその一例が示されている。
【０００３】
以下図面を参照しながら、従来技術となる冷凍温度室内に高さ寸法の異なる複数の容器が設置された冷蔵庫を説明する。
【０００４】
図１４は従来冷蔵庫の縦断面図である。
５１は冷蔵庫本体、この冷蔵庫本体５１は外箱５２と内箱５３との間に発泡断熱材５４を充填した断熱箱体、及び後述する扉、それに冷凍サイクル等より構成されている。そして、上記冷蔵庫本体５１は上から順に冷蔵室５５、野菜室５６、第２の冷凍室５７、第１の冷凍室５８を備えている。
【０００５】
５９は冷蔵室５５の前面開口部を閉塞する冷蔵室扉、この冷蔵室扉５９は図には示してないがヒンジ等をもって回動自在に取付けられている。
【０００６】
６０は野菜室扉で引出し式の扉である。即ちこの野菜室扉６０に設けられた引出し枠（図示せず）に野菜容器６３を懸架させている。そしてこの野菜室扉６０は内箱５３側に設けられた固定レールを引出し枠側に設けた可動レールが摺動すると共に内箱５３側に設けた固定ローラー（図示せず）上を先の引出し枠が摺動することにより引出し自在とされているものである。
尚、後述する引出し扉（冷凍室扉、製氷室扉）もこの方法により引出し自在に装着されているものである。
【０００７】
６１は第２の冷凍室５７の前面開口部を閉塞する第２の冷凍室扉、６４は第２の冷凍室容器、この冷凍室容器６４は第２の冷凍室扉側に取付けられた引出し枠（図示せず）に懸架され、先に説明した野菜室扉同様引出し自在に設けられている。
【０００８】
６２は第１の冷凍室５８前面開口部を閉塞する第１の冷凍室扉、この第１の冷凍室扉６２の引出し枠（図示せず）には第１の冷凍室容器（大）６５が懸架されている。この容器（大）６５も野菜室扉同様引出し自在に設けられている。
【０００９】
６６は上記第１の冷凍室容器（大）６５に積み重ねられるよう設けられた第１の冷凍室容器（小）である。この容器（小）は容器（大）６５の上記フランジ上をスライドするよう構成されている。即ち容器（小）６６は第１の冷凍室扉６２を引出した時には容器（大）６５と伴に室外に引出され、使用者が容器（大）６５より食品を取り出す時には邪魔になるので容器（大）６５のフランジ（図示せず）上を摺動させ、第１の冷凍室５８側に位置をずらすことが出来るよう構成されているものである。
【００１０】
以上の第１の冷凍室容器（大）６５、第１の冷凍室容器（小）６６、第２の冷凍室容器６４は図からも明らかな如く、容器の深さ（高さ）が違っている。
【００１１】
６８は野菜室５６と第２の冷凍室５７間を仕切る断熱仕切壁、６９は冷気通路、７０は冷凍室冷気循環ファン、６７は蒸発器を示す。
【００１２】
この蒸発器６７は冷凍サイクルの一部を構成するもので、例えばマイナス３０℃の冷気を作る。（尚、冷凍サイクルとは、圧縮機、凝縮器、キャピラリチューブ、蒸発器を直列にしかも環状に接続したものをいい、循環ファンにより冷凍室５８、５７及び冷蔵室５５内を循環し、室内を設定温度に保持させるものである。
【００１３】
ここにおいて、第２の冷凍室容器６４内の食材の冷却について説明すると、冷凍室、冷気循環ファン７０にて蒸発器６７を経て吹き出された冷気は、第２の冷凍室容器６４内に吹き込まれる。そして冷凍室容器６４内を冷却した冷気は容器周囲を通り、戻り通路（図示せず）に戻されるものであった。
【００１４】
【特許文献１】特開２００３−１７２５７２号公報
【００１５】
【特許文献２】特開２００１−３４９６６５号公報
【発明の開示】
【発明が解決しようとする課題】
【００１６】
以上の如く従来冷蔵庫にあっては冷凍食品の高さ（厚さ）寸法を調査したり使用頻度を調査した結果に基づき上記容器の高さ寸法を決めていた訳ではないので、第１の冷凍室５８内に配設された容器の高さ寸法こそ、容器（大）６５と容器（小）６６と変っているが、第２の冷凍室５７に配設された第２の冷凍室容器６４の高さ寸法と比較すると上記容器６５、６６と明確な差は出てこない。これは冷凍食品を少しでも効率良く収納するようにしたものであるが、冷凍食品を明確に区分けして収納させると云う意図で設計されたものでなかった。換云すると、冷凍食品の高さ（厚さ）寸法を意識して容器深さを決定しているものではないと云うことである。
【００１７】
又最近各家庭ではホームフリージングが盛んに行なわれるようになって来ている。このホームフリージングで必要となる容器の深さは７０ｍｍ〜１００ｍｍ未満である。換云するとこのホームフリージング食品を収納するに最適な容器は１００ｍｍ未満の容器で良いと云うことであった。
【００１８】
これに対し、従来例で示した容器では、これに対応していなかった。即ち第２の冷凍室容器６４でこれを行なうとすると、この第２の冷凍室５７に配設されている第２の冷凍室容器６４は図から見ると第１の冷凍室容器（大）６５の有効深さとほぼ同じ深さであることより、通常２００ｍｍ以上ある。
【００１９】
この容器でホームフリージング食材を一段積とすると、上記食材の上方は最小でも１００ｍｍ以上分は無駄になる可能性を持っていた。何故ならば、ホームフリージング食材は冷却スピードを問題にするので通常一段積で行われる為である。
【００２０】
又野菜室５６と第２の冷凍室容器６４間を仕切る断熱仕切壁６８下面は蒸発器６７より吹出された冷気を第２の冷凍室容器６４内に吹出させる冷気通路６９が設けられている。第２の冷凍室容器６４にはこの冷気通路内の冷気を容器６４内に取り入れる切欠き７１が設けられている。この切欠き７１は結果的に容器６４の内容積を減らす為、内容積効率が悪くなると云う問題もあった。
【００２１】
また、第２の冷凍室容器６４内の食材の冷却について説明すると、冷凍室、冷気循環ファン７０にて蒸発器６７を経て吹き出された冷気は、第２の冷凍室容器６４内に吹き込まれる。そして冷凍室容器６４内を冷却した冷気は容器周囲を通り、戻り通路（図示せず）に戻されるものであり、換言すると、容器の周囲を冷却した冷気を使って容器底面を積極的に冷却するという構造にはなっていなかった。
【００２２】
更には、ホームフリージング対応の急冷凍スイッチ、或いは冷凍能力可変、冷却促進の為の工夫等が盛り込まれていなかった。
【課題を解決するための手段】
【００２３】
本発明の請求項１記載の発明は、第２の冷凍室を区画し、急速冷凍室の隣りに製氷室を備えた冷凍冷蔵庫に於いて、上記急速冷凍室の間口高さ寸法を、この部屋に設ける深さ７０〜１００ｍｍ未満（高さ寸法）の容器を収納することが出来る最小の間口寸法とすると共に、上記製氷室の間口高さ寸法を上記急速冷凍室の間口高さ寸法に合せたものであるから、従来の第２の冷凍室間口寸法を大巾に短縮し、冷蔵庫のデザインを一新すると共に効率の良い収納及び使い勝手の良い第２の冷凍室を提供するものである。
【００２４】
又請求項２記載の発明は、冷凍室に収納される容器の高さ寸法を収納される冷凍食品（食材）に合せ４段階に区分した容器とし３番目の高さを有する容器を急速冷凍室に配設し、この容器は独立した第２の引出し扉により冷凍室に対し、引出し自在としたものであるから、使用頻度が最も高い食品（食材）は容易に収納、取り出しが行なえるものである。
【００２５】
又請求項３記載の発明は、冷凍室に設ける４個の容器の深さ（高さ寸法）２００ｍｍ未満、１５０ｍｍ未満、１００ｍｍ未満、７０ｍｍ未満とし、７０ｍｍ未満の容器は、第１の冷凍室上部で第１の引出し扉の開閉動作と独立して動くようにしたものであるから、比熱の小さい食材が第１の冷凍室の扉の開閉時、温度が上昇してしまうと云うことがないものである。
【００２６】
又請求項４記載の発明は、製氷機を断熱仕切壁のくぼみ部に配設すると共に上記製氷機よりアイスバンクに落下する氷が作る氷の山を該アイスバンク中央に作るようにして、急速冷凍室の間口寸法と製氷室の間口寸法を合せたものであるから、急速冷凍室と製氷室の間口寸法が同じとなり、意匠上優れた冷蔵庫が提供できるものである。
【００２７】
又請求項５記載の発明は、急速冷凍手段として圧縮機を能力可変制御すると共に急速冷凍室に収納する容器に熱伝導板を敷設し、且つ上記容器の上下面に冷気通路を形成したものであるから、本格的なホームフリージングが可能となるものである。
【００２８】
本発明の請求項６記載の発明は、冷凍温度室内に設置される容器を４種類の深さを有する容器とし、深い順に１番、２番、４番の容器を下から第１の冷凍室に設け、３番目に深い容器は上記引出し扉の上方に設けた急速冷凍室の前面を閉塞する第２の引出し扉の枠に懸架させると共に、この３番目の容器上面には冷凍室と野菜室間を仕切る断熱仕切壁に形成された第１の冷気通路を、容器下面には第１と第２の引出し扉間に設けられた、はり状仕切後方に形成された第２の冷気通路を対応させたものであるから、冷凍食品を高さ（厚さ）寸法で４段階に区分した容器に収納することが出来る。従って収納効率が良いことは勿論、使用頻度の高い食品を入れる容器を使い易い所にしたので使用者には非常に使い易い冷蔵庫を提供できるものである。
【００２９】
又、利用頻度が高くフリージング食品を収納する容器は独立した引出し扉としていることより使い勝手が良いことは勿論、上記容器は上下を流れる冷気で冷却されているので、ホームフリージングは最適な温度状態で行うことが出来るものである。
【００３０】
請求項７に記載の発明は請求項１記載の発明にさらに、第２の引出し扉枠に懸架された３番目の容器は深さ寸法７０ｍｍ〜１００ｍｍ未満の容器とし、フリージング対応容器とし、容器底面にはアルミ等の熱伝導板を敷設したものであるからフリージング食品を容器に収納した時容器に無駄が生ずることがないことは勿論、急速にしかも均一な温度に保持されるものである。
【００３１】
請求項８に記載の発明は請求項１記載の発明にさらに、扉表面等に設けられた急冷凍ボタンの操作で冷凍能力を可変させ、３番目の容器内食品を急速に冷却することが出来るようにしたものであるから、ホームフリージング時等には冷凍能力最大で、通常は冷凍能力小で本冷凍冷蔵庫は運転されるので省エネ効果も得られるものである。
【００３２】
請求項９に記載の発明は請求項１記載の発明にさらに、第１の引出し扉の枠に懸架される１番、２番目の容器は上記第１の引出し扉枠の移動に連動して移動し、４番目の容器は第１の引出し扉枠の移動には連動させないようにしたものであるから、比較的移動に力を要する２番容器が常に扉開時には開放されている。このことにより使用者に便ならしめることは勿論、４番容器が必要な時には使用者は、簡単にその４番容器を手前に引出す（軽い為）ことが出来るものである。
【００３３】
請求項１０に記載の発明は請求項１記載の発明にさらに、第１の引出し扉枠に懸架される１番目、２番目の容器の上に設置される４番目の容器は第１の引出し扉全開時５０ｍｍ〜１００ｍｍ手前に引出されてくるようにしたものであるから、４番目容器の存在を使用者は視覚をもって確認出来、更に手掛け部が目に届く位置にあることより使用者は常に安定した状態で４番容器を引出すことが出来るものである。
【発明の効果】
【００３４】
本発明は以上説明した如く、冷凍食品を高さ（厚さ）寸法で４段階に区分した容器に収納することが出来るので収納効率が良いことは勿論使い勝手も良くなるものである。即ち、利用頻度の高い３番目、４番目の容器を独立して冷凍室内の上部に設けたものである。
【００３５】
又、３番目容器を急速冷凍室としてホームフリージング専用の容器としていることより冷却スピードが速いことは勿論、ホームフリージング時にあって、食品を積み重ねることがないので均一な、ホームフリージング食品を得ることが出来るものである。
【発明を実施するための最良の形態】
【００３６】
以下、本発明を備えた冷凍冷蔵庫の実施の形態について、図面を参照しながら説明する。
【００３７】
図１は本発明を備えた冷凍冷蔵庫の正面図である。図２は図１の冷凍冷蔵庫のＡＡ断面図、図３は図１の冷凍冷蔵庫のＢＢ断面図、図４は図２の冷凍室内に設けられた高さ寸法の異なる容器の動作説明図で第１の引出し扉を引出し１番目、２番目容器を引出した所を示す図、図５は図４の状態から２番目容器を押し込んだ状態を示す図、図６は図４とは異なる実施例を示す図、図７は図６の４番目容器を引出した状態を示す図である。
【００３８】
図８は図２の冷凍温度室内に設けた３番目の容器部の風回り説明図、図９は図８とは異なる３番目の容器詳細図、図１０は図３中のアイスバンクと製氷皿との関係を示す図で一般に市販されている冷蔵庫の図、図１１は図１０とは異なる本発明を備えた図、図１２は本発明を備えた冷凍冷蔵庫の制御ブロック図、図１３は本発明を備えた冷凍冷蔵庫でのホームフリージング食品の冷却状態を示す図である。
【００３９】
先ず図１〜図３に於いて、１は冷凍冷蔵庫本体、この冷蔵庫本体１は冷蔵温度室２と冷凍温度室３を備えている。そして冷蔵温度室２は冷蔵室４と野菜室５等より構成され、冷凍温度室３は第２の冷凍室６と第１の冷凍室７より構成されている。尚この第２の冷凍室６は後述する急速冷凍室１７と製氷室１２から構成されている。８は冷蔵室の扉でヒンジ９に枢軸され、このヒンジ９を支点として冷凍冷蔵庫１に回動自在に取付けられている。１０は野菜室の扉、この野菜室の扉１０は冷凍冷蔵庫１の対して引出し自在に取付けられている。１１は野菜室容器、この野菜室容器１１は上記野菜室扉１０に、図には示してないが引出し枠を介して、取付けられ、野菜室扉１０を引き出した時野菜室容器１１も室外に出てくるものである。１２は冷凍温度室３内に設けられた製氷室であり１３はこの製氷室１２の前面開口部を閉塞している製氷室扉、この製氷室扉１３も引出し式の扉であり、この製氷室扉１３を引き出すと、アイスバンク１４が一緒に製氷室１２外に引き出されてくる。１５は製氷機で冷蔵室４等に設置された水タンク（図示せず）より給水された水がこの製氷機で製氷され、先に説明したアイスバンク１４内に出来た氷をストックする。１６は第２の引出し扉、この第２の引出し扉１６は急速冷凍室、１７の前面開口部を閉塞する。１８は急速冷凍室１７を形成する容器で以下３番目の容器と云う。
【００４０】
この３番目の容器１８は第２の引出し扉１６に引出し枠１９をもって取付けられている。２０はこの引出し枠１９の先端に設けられた可動ローラ、そして２１は急速冷凍室１７側に設けられた固定ローラ、引出し扉１６は引出し枠１９に設けた可動ローラ２０が急速冷凍室１７側に設けられたレール（図示せず）内を摺動し、固定ローラ２１上を引出し枠１９が摺動することより引出し自在になされている。
【００４１】
又上記３番目の容器１８内ではホームフリージングが行なわれる。
２２は冷蔵温度室２と冷凍温度室３間を仕切る断熱仕切壁、２３は断熱仕切壁２２に形成された冷気通路。この冷気通路２３はガイド板２４を伴なって蒸発器２５にて冷却された冷気を３番目の容器１８上面より均一に吹き付ける役目を果す。
【００４２】
２６は、はり状仕切で上記第２の引出し扉１６と第１の引出し扉のパッキング２７、パッキング２８の受面を構成する。
【００４３】
２９は、はり状仕切２６の後方に構成された第２の冷気通路。この第２の冷気通路２９は冷気通路２３より吹出された冷気を蒸発器２５側に戻す役目を果す。
【００４４】
この冷気を蒸発器２５に戻す過程に於いて、３番目の容器１８の底部は十分に冷却されるものである。
【００４５】
３０は第１の引出し扉、３１は引出し枠、３２は可動ローラ、３３は固定ローラ（何れも図３）、而して上記引出し枠３１には１番目の容器３４が懸架されている。このことにより１番目の容器３４は引出し自在とされている。
【００４６】
３５は２番目の容器。この２番目の容器３５は上記１番目の容器３４の上面開口部に上記開口を蓋するよう設けられており、しかも１番目の容器３４のフランジ３４ａ上を図５の如くスライドする。この為に１番目の容器３４の後部壁３４ｂは２番目の容器３４が当らないように他の壁に比較して低く形成されている。２番目の容器３４は第１の引出し扉３０を引き出した時、フランジ３４ａ上を図５の如くスライドし矢印Ｐ方向（図５）に移動することが出来るよう構成されている。
【００４７】
３６は４番目の容器。この４番目の容器３６は第１の引出し扉３０の引出しには連動して動くものでなく、第１の冷凍室７側に設けたレール（図示せず）を摺動し、第１の引出し扉３０を引き出した後、使用者の操作により引き出されるものである。
【００４８】
３７は圧縮機であり、３８は蒸発器２４で冷却された冷気を先に記述した冷蔵室４、野菜室５、第２の冷凍室６、製氷室１２、急冷凍室１７（第２の冷凍室６）、第１の冷凍室７に分配、送風し、予め設定された温度に冷却する。
【００４９】
尚冷凍温度室３は製氷室１２、急速冷凍室１７（第２の冷凍室６）、第１の冷凍室７を含めた所を指す。
【００５０】
次に図４〜図７をもって、第１の引出し扉３０を引き出しての１番目、２番目、４番目容器の使い勝手を説明する。
【００５１】
図４、図５の場合４番目容器は第１の引出し扉３０とは、独立しており、第１の引出し扉３０には連動していないものである。
【００５２】
この４番目の容器３６は図４の状態で取っ手部３６ａをもって使用者が手前に引き出すと冷凍室７外に出て来る。又２番目の容器３５を使う時には第１の引出し扉３０を引き出したままで良いが１番目の容器３４を使う時には２番目容器３５を、１番目の容器フランジ３４ａを利用し、第１の冷凍室７側に移動させる（図５の状態）ものである。
【００５３】
図６、図７に示すものは図４、図５と異なり第１の引出し扉３０を引き出した時４番目容器３６が５０〜１００ｍｍ第１の冷凍室７外に飛び出てくるものである。（図６の状態）そして４番目容器３６内を使う時には図７に示す如く、第１の引出し扉３０に当る迄引き出すものである。
【００５４】
次に図８〜図９を用いて、３番目の容器１８に付いて説明する。この３番目容器１８はホームフリージング容器となることより容器底面には、熱伝導板（アルミニューム板、ステンレス板）３７が敷かれている。この熱伝導板３７はホームフリージング品３８を底面は勿論周囲より冷却するものである。この熱伝導板３７は容器底面に敷くこともあるが、図９の如く容器内側全面に敷く事もある。
【００５５】
ここで、一般家庭用冷蔵庫に貯蔵する冷凍食品例およびホームフリージングする食材例について表１により説明する。
【００５６】
【表１】
2005083681.tif 000003
表１は貯蔵食品の収納高さ寸法別に例示したものである。表１に示す如く、その収納高さ寸法は約５段階に分類されるが、使用頻度比率と容器の有効性から、分類４と分類５を一個の容器で兼用するとすれば、一般家庭用冷蔵庫の冷凍温度室に必要な収納容器の収納深さ寸法は４種類となる。つまり、一般家庭用冷蔵庫に貯蔵する場合、既に貯蔵してある食品の上に新しい食品を重ねて貯蔵すると、既に貯蔵してある食品の食品温度が、新しい食品のために温度上昇し、該食品の新鮮度低下につながる可能性があるので、貯蔵食品を出来るだけ積み重ねないようにすることが必要であるが、そのためには、冷凍食品といえども、該冷凍食品別に一段で保存することが望ましい。従って、限られた貯蔵スペースを有効に利用して、かつ、出来るだけ冷凍食品を積み重ねないようにするためには、表１に示す、分類１から分類４の４種類の収納深さ寸法を有する収納場所が必要となる。なお、表１に示す食品例で同一の食品名が分類の二箇所に表示してある食品は、横置きの場合を、例えば、パイシート紙パック類（１）と表示し、縦置きの場合を、例えば、パイシート紙パック類（２）と表示してある。また、表１に示す食品例で、牛乳パック類（１）、牛乳パック類（２）は共に、牛乳パック類を再利用して、スープ類等のホームフリージング食品を作る場合を示している。
【００５７】
また、表１のホームフリージング食材例を示す欄のごとく、ホームフリージングするための容器は、その収納深さ寸法を７０ｍｍから１００ｍｍ未満とすればホームフリージング食材例の大部分をカバーできる。従って、本発明のホームフリージングできる３番目の容器１８急速冷凍室の収納深さ寸法ｆ３（図８のｆ３）は表１の分類２に示す７０ｍｍから１００ｍｍ未満に設定してある。なお、図８に示す如く、前記３番目の容器１８の上面開口に振り注ぐように冷気を吐出する冷気通路２３を、該３番目の容器１８の上面開口上方に設ける必要がある為、前述したように、該３番目の容器１８を設置する急速冷凍室１７は、前述の断熱仕切壁２２の下部に設置することが望ましい。従って、本実施例では、冷凍温度室３の上部に急速冷凍室たる３番目の容器１８を、その下部に通常の第１の冷凍室７を設け、該第１の冷凍室７に、表１の分類２を除く全ての分類の収納深さを有する容器を設けてある。つまり、図４に示すように、最上段の４番目の容器３６の収納深さ寸法ｆ４を表１の分類１の４０ｍｍから７０ｍｍ未満の食材を入れる容器とし、中段の２番目の容器３５の収納深さ寸法ｆ２を表１の分類３の１００ｍｍから１５０ｍｍ未満の食材を入れる容器とし、最下段の１番目の容器３４の収納深さ寸法ｆ１を表１の分類４の１５０ｍｍから２００ｍｍ未満の食材を入れる容器としてある。従って、冷凍食品を貯蔵するときに積重ねなくても良い冷蔵庫の構成と成っている。
【００５８】
次に、前述の冷凍室に設けた３種類の容器の引き出し方法の一実施例を図４により説明する。図４は、２番目の容器３５と１番目の容器３４とを第１の引出し扉３０と共に所定寸法開放した状態を示す。この状態で、図に示すように、２番目の容器３５内の貯蔵食品の出し入れが出来る。そして、第１の引出し扉３０の開放寸法のままで、２番目の容器３５を第１冷凍室７の奥側に１番目の容器フランジ３４ａを使ってスライドすると、図５に示すように、１番目の容器３４の貯蔵食品の出し入れができる。また４番目の容器３６の取っ手部３６ａに手指を掛けて該４番目の容器３６を第１の冷凍室の手前にスライドさせると、４番目の容器３６内への貯蔵食品の出し入れが出来る。
【００５９】
以上のように構成すれば、一個の第１の引出し扉３０内に三段の容器を設置して、その使い勝手を良好に出来ると共に、三段の容器のうち最も収納深さ寸法部の小さい４番目の容器３６は使用頻度が高いこともあって、使用者の使い易い位置で、しかも他の容器に関係しない構成としたものである。又、該４番目の容器３６内に貯蔵した食品は、冷凍食品の中で最も食品厚さの薄い食品であることもあって、冷凍食品の中で最も熱容量の少ない食品類となる。従って、使用時以外にいちいち他の容器と一緒に引出されてしまうと、食品類の温度上昇が生じ食品の新鮮度が失われる結果となるが、本発明のものは使用者が必要としたときのみ引出すようにしたものである為、余分な温度上昇のない冷凍冷蔵庫構造を提供できる。
【００６０】
次に、前述の図１のＢ−Ｂ線縦断面図を示す図３の製氷室について説明する。
【００６１】
１２が前述の急速冷凍室容器たる３番目の容器１８と並置された製氷室である。２２は製氷室１２と前記野菜室５との間を区画する断熱仕切壁である。この断熱仕切壁２２の後方は前記野菜室５側に突出し、くぼみ部２２ａを形成している。製氷機１５は上記くぼみ部２２ａ内に設置されている。
１４はアイスバンクである。このアイスバンク１４は上記製氷機１５の平面投影面下方に、その開口面が前記製氷機１５の平面投影面より大きい開口を有するものであり、該アイスバンク１４の収納深さ寸法ｆ９を、前述の３番目の容器１８の収納深さ寸法ｆ３にほぼ一致させて形成してある。換云すれば、アイスバンク１４の収納深さ寸法ｆ９を、前述の３番目の容器１８の収納深さ寸法ｆ３にほぼ一致させられるように、アイスバンク１４の上方に設ける製氷機１５を、断熱仕切壁２２のくぼみ部２２ａ内に設置してある。従って、該アイスバンク１４の高さ寸法ｆ９を、並置する第２の冷凍室６内の３番目の容器１８とほぼ同一に出来る。この結果該製氷室１２前面に設置される引出ドアの製氷室扉１３の高さ寸法と、前記急速冷凍室１７の前面に設置される第２の引出し扉１６の高さ寸法とをほぼ同一に出来るものである。従って冷凍冷蔵庫１の外観をスッキリした意匠とすると共に、図１に示すように、製氷室扉１３と急速冷凍室を閉塞する第２の引出し扉１６の上下に設置される、野菜室の扉１０と第１の引出し扉３０を単純な矩形形状（製氷室と野菜室の間口が異なる形状でない）にできるので、該冷凍冷蔵庫の外観上スッキリした意匠感を有するとともに、それぞれの引出扉が単純な矩形形状のために製造加工が容易になり、製造コストの減少した冷凍冷蔵庫を提供できる。
【００６２】
なお、図３のアイスバンク１４の収納深さ寸法ｆ９を、急速冷凍室容器たる３番目の容器１８の収納深さ寸法ｆ３にほぼ一致させることは、前述の表１で説明したように、前記アイスバンク１４の収納深さ寸法ｆ９を、分類２の収納高さ寸法７０ｍｍから１００ｍｍ未満にすることであるが、このことは、従来技術のアイスバンク１４の収納深さ寸法を浅くすることにも繋がるものである。従って、アイスバンク１４の収納深さ寸法を浅くする場合の一実施例について、先ず図１０、１１に於いて製氷皿１５ａとアイスバンク１４の関係を説明する。図１１が従来例の製氷機１５の製氷皿１５ａとアイスバンク１４の関係を説明する図であり、アイスバンク１４の上面開口幅Ｗ３と製氷皿１５ａの幅Ｗ５とした時、製氷皿１５ａはアイスバンク１４に対して偏心して設けられていた。この為製氷皿１５ａから落下する氷がアイスバンク１４の一辺に沿うよう偏心した位置に氷の山３９を形成する傾向にあった。これは製氷機１５を冷蔵庫内の隅部に設けていた為である。
【００６３】
そこで本発明に於いては図１０にも示す如く、製氷皿１５ａの幅Ｗ５とアイスバンク１４の上面開口幅Ｗ７（Ｗ７＞Ｗ５）との間に、幅方向で充分な余裕をとり且つ製氷皿１５ａをアイスバンク１４の中心に設けたものである。つまりこのことにより製氷機１５の製氷皿１５ａから落下した氷が、中央部が突出した自然な氷の山３９を形成するようになるものである。換云すると氷が両側に均等にバラけ、従来の如くアイスバンク１４の一辺に沿わないと云うことである。この結果、アイスバンク１４の収納深さ寸法を前述のｆ１２より小さいｆ１３に設定できるものである。即ちアイスバンク１４の収納深さ寸法ｆ１３を前述の急速冷凍室容器たる３番目の容器１８の収納深さ寸法ｆ３に合せることが出来る構成となる。なお、この場合も製氷皿１５ａを有する製氷機１５自身の体積は、それ自身が冷蔵庫の貯蔵容積を減少させるが、本発明の場合は、該製氷機１５自身を図３で説明したように、断熱仕切壁２２のくぼみ部２２ａ内に所定寸法設置してあるので、貯蔵食品の出し入れ時の障害には成らない構成となる。
【００６４】
次に、図２、図１２に於いて、本冷凍冷蔵庫は公知の冷凍サイクルユニットが設けられている。即ち、図２に於いて冷凍冷蔵庫本体１の底部に設けられた圧縮機４０が冷媒を吸入圧縮して、高温高圧にする。圧縮機４０からの高温高圧のガス状冷媒は凝縮器（図示せず）にて凝縮し、キャピラリチューブ（図示せず）を経て、低音低圧となり蒸発器２５に至る。
【００６５】
冷媒はここで循環空気と熱交換して気化し、圧縮機に戻るサイクルを形成する。一方蒸発器２５で冷却された冷気は冷蔵室用送風機（図示せず）、及び冷凍室用送風機４２を介して、各室内に供給され、各室を予め設定した室温に冷却するものである。
【００６６】
この各室を予め設定された室温に冷却する制御回路の他に、本冷凍冷蔵庫は冷凍能力を可変する機能を備え、３番目の容器１８（急速冷凍室）を支緩するものである。
【００６７】
即ち３番目の容器１８は表１からも明らかな如く、ホームフリージング食材例が多数収納され、しかもその使用頻度比率が最も高い容器である。
【００６８】
このことから本冷凍冷蔵庫はこの３番目の容器１８を独立した扉（第２の引出し扉）としたものである他、３番目の容器底面に熱伝導板等を敷設したものである。
【００６９】
次に上記冷凍能力可変に付いて図１２を用いて説明する。
【００７０】
４０は圧縮機。この圧縮機４０はインバータ制御回路４３に接続されている。そして３番目の容器（急冷凍容室）内にホームフリージング食材を収納した時には、急冷凍釦４４を押すと、その信号はインバータ制御回路４３に入り圧縮機４０駆動用モータ４５の回転数を３０００回／ＲＰＭから、例えば４３００回／ＲＰＭ等に変え、冷凍能力を増すものである。
【００７１】
図１３に示すグラフはこのホームフリージング食材が−１℃〜−５℃の最大氷結晶生成帯を何分で通過するかを示したグラフである。
【００７２】
曲線Ａは冷凍能力を拡大した時の通過時を表わしたものであり、曲線Ｂは通常冷蔵庫（従来）の通過時を示したものである。
【００７３】
図に於いて、曲線Ａは水分が凍る温度帯（最大氷結晶生成帯）を２５分で通過するのでホームフリージング食材中の水分が膨張し、食品の細胞の損傷を抑え、うまみをしっかり閉じ込めるものである。
【００７４】
一方曲線Ｂは経過に７０分を要する為、食品中の水分が膨張し、食品の細胞の損傷を抑えることが出来ないものである。この結果、うまみ成分が次の解凍時に出てしまうと云う問題があった。
【００７５】
尚このホームフリージング時には冷凍能力の拡大は勿論であるが３番目容器の底に熱伝導板を敷くこと、及び３番目容器の上下に冷気通路を設け、該３番目容器内食材を直接的にも、又、間接的にも積極的に冷却することが重要である。
【００７６】
本発明は、以上説明した構成を有するものであるから急速冷凍室の間口寸法を従来に比し小さく出来るものである。例えば、急速冷凍室を高さ寸法１００ｍｍ未満の３番目の容器とした場合には、おのずと急速冷凍室の間口高さ寸法は決まる。通常容器上方、下方には容器のスムーズな引出しを可能にする為１０ｍｍの隙間寸法が必要となる。従って断熱仕切壁２２（図２、図３）と、はり状仕切２６（図４、図５）との間の間口寸法は１２０ｍｍとなる。
【００７７】
これは従来の冷蔵庫にはなかった寸法である。何故ならば、この急速冷凍室に相当する所に設けられていた容器は通常１５０ｍｍ前後の容器である為、前述の如く、引出し時の操作性を考えると、上記急速冷凍室の間口高さ寸法は１７０ｍｍとなる。
【００７８】
この１５０ｍｍの容器は先にも記述した如くフリージング食品（食材）を段積みしない限り、無効空間が多すぎる容器となってしまう容器高さである。又段積した場合均一な急速冷凍が出来ないと云う問題があった。
【００７９】
一方、この急速冷凍室の隣りに形成される製氷室１２の間口高さ寸法は急速冷凍室に合されている為その間口高さ寸法は１７０ｍｍとなっていた。この為アイスバンクの幅を広くとり過ぎると無効空間が増えてしまう為、幅を小さくして使ってしたのが現状である。
【００８０】
本来なら製氷室が作る氷の山３９（図１１）を図１０に示す如く、アイスバンクの両側板に当らない氷の山３９として貯蔵しないとアイスバンク全体を均一な氷ストッカーとして使用出来ない所を片寄りした氷の山３９で良しとしていた傾向にあった。尚片寄りした氷の山３９はアイスバンクの数回の引出しがあると引出し時の衝撃で崩れ容器全体に行きわたるものであるが、若し、アイスバンクの引出し動作等がなかったり、氷の山３９が一つの氷となって結合している時には、そのままの形で残る為、図には示してないが、貯氷量検出レバー等に正確な貯氷量を認識させることが出来ない等の問題もあった。
【００８１】
これが本発明の如く、急速冷凍室の間口寸法１００ｍｍ未満の容器とすると隣りに設けられる製氷機は、当然製氷室の間口寸法が１５０ｍｍとなる。これを実現する為に、本発明に於いては、仕切断熱壁をくぼませ、そこに製氷機の一部を設置させる他、製氷皿とアイスバンクの位置関係を改良し常に製氷皿で出来た氷をアイスバンクのほぼ中央に落下させるようにしたものである。
このことによりアイスバンクは従来より薄くとも、所定の製氷量が確保されることは勿論、既存の製氷機に改造等を加えることなく利用出来るものである。
【００８２】
本発明は以上説明した如く、第２の冷凍室を区画し、急速冷凍室の隣りに製氷室を備えた冷凍冷蔵庫に於いて、上記急速冷凍室の間口高さ寸法を、この部屋に設ける深さ７０〜１００ｍｍ未満（高さ寸法）の容器を収納することが出来る最小の間口寸法とすると共に、上記製氷室の間口高さ寸法を上記急速冷凍室の間口高さ寸法に合せたものであるから、新しい第２の冷凍室を提供出来るものである。
又、冷凍温度室内に設置される容器を４種類の深さを有する容器とし、深い順に１番、２番、４番の容器を下から第１の冷凍室に設け、３番目に深い容器は上記引出し扉の上方に設けた急速冷凍室の前面を閉塞する第２の引出し扉の枠に懸架させると共に、この３番目の容器上面には冷凍室と野菜室間を仕切る断熱仕切壁に形成された第１の冷気通路を、容器下面には第１と第２の引出し扉間に設けられたはり状仕切後方に形成された第２の冷気通路を対応させたものであるから、冷凍食品を高さ（厚さ）寸法で４段階に区分した容器に収納することが出来る。従って収納効率が良いことは勿論、使用頻度の高い食品を入れる容器を使い易い所にしたので使用者には非常に使い易い冷蔵庫を提供できるものである。
【００８３】
又、利用頻度が高くフリージング食品を収納する容器は独立した引出し扉としていることより使い勝手が良いことは勿論、上記容器は上下を流れる冷気で冷却されているので、ホームフリージングは最適な温度状態で行うことが出来るものである。
【００８４】
又、第２の引出し扉枠に懸架された３番目の容器は深さ寸法７０ｍｍ〜１００ｍｍ未満の容器とし、フリージング対応容器とし、容器底面にはアルミ等の熱伝導板を敷設したものであるからフリージング食品を容器に収納した時容器に無駄が生ずることがないことは勿論、急速にしかも均一な温度に保持されるものである。
【００８５】
又、扉表面等に設けられた急冷凍ボタンの操作で冷凍能力を可変させ、３番目の容器内食品を急速に冷却することが出来るようにしたものであるから、ホームフリージング時等には冷凍能力最大で、通常は冷凍能力小で本冷凍冷蔵庫は運転されるので省エネ効果も得られるものである。
【００８６】
又、第１の引出し扉の枠に懸架される１番、２番目の容器は上記第１の引出し扉枠の移動に連動して移動し、４番目の容器は第１の引出し扉枠の移動には連動させないようにしたものであるから、比較的移動に力を要する２番容器が常に扉開時には開放されている。このことにより使用者に便ならしめることは勿論、４番容器が必要な時には使用者は、簡単にその４番容器を手前に引出す（軽い為）ことが出来るものである。
【００８７】
更に又、第１の引出し扉枠に懸架される１番目、２番目の容器の上に設置される４番目の容器は第１の引出し扉全開時５０ｍｍ〜１００ｍｍ手前に引出されてくるようにしたものであるから、４番目容器の存在を使用者は視覚をもって確認出来、更に手掛け部が目に届く位置にあることより使用者は常に安定した状態で４番容器を引出すことが出来るものである。
【００８８】
説明した如く、本実施例によれば、冷凍食品を高さ（厚さ）寸法で４段階に区分した容器に収納することが出来るので収納効率が良いことは勿論使い勝手も良くなるものである。即ち、利用頻度の高い３番目、４番目の容器を独立して冷凍室内の上部に設けたものである。
【００８９】
又、３番目容器を急速冷凍室としてホームフリージング専用の容器としていることより冷却スピードが速いことは勿論、ホームフリージング時にあって、食品を積み重ねることがないので均一な、ホームフリージング食品を得ることが出来るものである。
【図面の簡単な説明】
【００９０】
【図１】本発明の一実施例を備えた冷凍冷蔵庫の正面図である。
【図２】図１の冷凍冷蔵庫ＡＡ断面図である。
【図３】図１の冷凍冷蔵庫ＢＢ断面図である。
【図４】図２の冷凍室内に設けられた高さ寸法の異なる容器の動作説明図で、第１の引出し扉を引出し、１番目２番目容器を引出した所を示す図である。
【図５】図４の状態から２番目容器を押し込んだ状態を示す図である。
【図６】図４とは異なる実施例を示す図である。
【図７】図６の４番目容器を引き出した状態を示す図である。
【図８】図２の冷凍温度室内に設けた３番目の容器部の風回り説明図である。
【図９】図８とは異なる３番目の容器詳細図である。
【図１０】図３中のアイスバンクと製氷皿との関係を示す図で一般に市販されている冷蔵庫の図である。
【図１１】図１０とは異なる本発明を備えた図である。
【図１２】本発明を備えた冷凍冷蔵庫の制御ブロック図である。
【図１３】本発明を備えた冷凍冷蔵庫でのホームフリージング食品の冷却状態を示す図である。
【図１４】従来の冷凍室容器を備えた冷蔵庫の断面図である。
【符号の説明】
【００９１】
１…冷凍冷蔵庫  ２…冷蔵温度室  ３…冷凍温度室  ４…冷蔵室  ５…野菜室  ６…第２の冷凍室  ７…第１の冷凍室  ８…冷蔵室の扉  ９…ヒンジ  １０…野菜室の扉  １１…野菜室容器  １２…製氷室  １３…製氷室扉  １４…アイスバンク  １５…製氷機  １５ａ…製氷皿  １６…第２の引出し扉  １７…急速冷凍室  １８…３番目の容器  １９…引出し枠  ２０…可動ローラ  ２１…固定ローラ  ２２…断熱仕切壁  ２２ａ…くぼみ部  ２３…冷気通路  ２４…ガイド板  ２５…蒸発器  ２６…はり状仕切  ２７…パッキング  ２８…パッキング  ２９…第２の冷気通路  ３０…第１の引出し扉  ３１…引出し枠  ３２…可動ローラ  ３３…固定ローラ  ３４…１番目の容器  ３４ａ…１番目の容器フランジ  ３４ｂ…１番目の容器後壁  ３５…２番目の容器  ３６…４番目の容器  ３６ａ…取っ手部  ３７…熱伝導板  ３８…ホームフリージング品  ３９…氷の山  ４０…圧縮機  ４２…冷凍室用送風機  ４３…インバータ制御回路  ４４…急冷凍釦  ４５…圧縮機駆動用モータ
【図１】
2005083681.tif 000004
【図２】
2005083681.tif 000005
【図３】
2005083681.tif 000006
【図４】
2005083681.tif 000007
【図５】
2005083681.tif 000008
【図６】
2005083681.tif 000009
【図７】
2005083681.tif 000010
【図８】
2005083681.tif 000011
【図９】
2005083681.tif 000012
【図１０】
2005083681.tif 000013
【図１１】
2005083681.tif 000014
【図１２】
2005083681.tif 000015
【図１３】
2005083681.tif 000016
【図１４】
2005083681.tif 000017